(57)【特許請求の範囲】
【請求項１】
線条で構成される同一径のコイルを同一間隔に形成した複数のコイルからなる本体部と、前記本体部の一方端のコイルを構成する線条の先端に設けられた球体からなる一方のストッパーと、前記本体部の他方端のコイルを構成する線条の先端に設けられた球体からなる他方ストッパーと、を有するつる巻きバネで形成された指輪固定具において、
（イ）前記コイル及び前記球体が、それぞれ、金属で構成され、かつ、
（ロ）前記一方のストッパー及び前記他方のストッパーがそれぞれ指裏の根本近傍と手のひらの先端近傍とで固定されるように、それらのストッパーが、それぞれ、前記一方端のコイルの周上及び前記他方端のコイルの周上に、側面視において間隔を開けて、設けられている
ことを特徴とする指輪用固定具。
【請求項２】
前記一方のストッパーの中心と前記一方端のコイルの中心とをむすぶ線と、前記他方のストッパーの中心と前記他方端のコイルの中心とをむすぶ線と、による側面視における交叉角度θが略直角となすように、前記一方のストッパー及び前記他方のストッパーが、それぞれ、設けられていることを特徴とする請求項１に記載の指輪用固定具。
【請求項３】
前記線条及び前記球体を構成する金属が、ステンレス鋼とされていることを特徴とする請求項１又は２に記載の指輪用固定具。
【請求項４】
前記線条及びストッパーには、金、ロジウム又はプラチナによるメッキが施されていることを特徴とする請求項１〜３のいずれか１項に記載の指輪用固定具。
【発明の詳細な説明】
【技術分野】
【０００１】
本発明は、手指の寸法より大きい寸法の指輪を手指に容易に固定できるようにした指輪用固定具に関する。
【背景技術】
【０００２】
従来、指輪が手指の寸法よりも小さい場合には、指輪を手指に挿着できないので、指輪をエキスパンダーで延ばして拡開することにより対処してきた。しかし、指輪が手指より寸法の大きい場合には、指輪を手指に挿着すると、指輪による回転及び手指の前後方向へのズレが生じることとなるが、この指輪による回転及び手指の前後方向へのズレを防止するための対処が難しいという問題があった。
【０００３】
そこで、このような問題を解決するために、指輪の一部を切断して除去した後、溶接して手指の寸法に適合する指輪とする技術が提案されていたが、指輪の一部を切断して除去した後、溶接して手指の寸法に適合するためには、高度な技術と長年の熟練とを必要とすること、加工に費用がかかること、等の問題があった。また、親族の片身となるような指輪の場合には、前記技術を適用することに抵抗感があった。
【０００４】
そして、指輪の寸法が大きい場合において、指輪自体に施すことなく小径な手指に適用させることができる指輪用アダプターとして、蔓巻ばね（特許文献１を参照。）を採択したものが提案されている。この蔓巻ばねを採択した指輪用アダプターは、図３に示されているように、指輪Ｒの内周面に沿う中央部を膨出させた蔓巻きばねよりなる主体部１と、その蔓巻きばねよりなる主体部１における両端のリングを小径とした取付部２，２と、を有している。
【０００５】
しかしながら、指輪用アダプターには、（ａ）この指輪用アダプターを挿着した指輪Ｒを手指に外挿すると、前記蔓巻きばねがその両端にゆくにしたがって小径とされたリングを有したものとなっているので、その小径とされたリングが指輪Ｒに強く巻き付いてズレ難くなり、そのために、前記指輪用アダプターが手指の関節に圧迫感を与えること、（ｂ）前記指輪Ｒに強く巻き付いリングが指輪Ｒの表面を擦るので、指輪Ｒに擦りキズを付けること、及び、（ｄ）前記指輪Ｒの中央部が膨出されたものとなっているので、指輪の美的要素を低下させること、といった問題があった。
【先行技術文献】
【特許文献】
【０００６】
【特許文献１】実開昭５４−１２４７９５号公報
【発明の概要】
【発明が解決しようとする課題】
【０００７】
本発明は、かかる問題を解決することを目的としている。
【０００８】
即ち、本発明は、コイルを固定することなく指輪による回転及び手指の前後方向へのズレを防止し、指裏の根本近傍と手のひらの先端近傍との間の指輪の固定される部分に圧迫感を与えることを防止し、指裏の根本近傍と手のひらの先端近傍とにおける炎症の発生を防止し、そして、指輪における擦りキズの発生を防止し、しかも、指輪の美的要素を低下させることのない装着の容易な指輪用固定具を低コストで提供することを目的としている。
【課題を解決するための手段】
【０００９】
即ち、請求項１に記載された発明は、上記目的を達成するために、線条で構成される同一径のコイルを同一間隔に形成した複数のコイルからなる本体部と、前記本体部の一方端のコイルを構成する線条の先端に設けられた球体からなる一方のストッパーと、前記本体部の他方端のコイルを構成する線条の先端に設けられた球体からなる他方ストッパーと、を有するつる巻きバネで形成された指輪固定具において、
（イ）前記コイル及び前記球体が、それぞれ、金属で構成され、かつ、
（ロ）前記一方のストッパー及び前記他方のストッパーがそれぞれ指裏の根本近傍と手のひらの先端近傍とで固定されるように、それらのストッパーが、それぞれ、前記一方端のコイルの周上及び前記他方端のコイルの周上に、側面視において間隔を開けて、設けられている
ことを特徴とする指輪用固定具である。
【００１０】
請求項２に記載された発明は、請求項１に記載された発明において、前記一方のストッパーの中心と前記一方端のコイルの中心とをむすぶ線と、前記他方のストッパーの中心と前記他方端のコイルの中心とをむすぶ線と、による側面視における交叉角度θが略直角となすように、前記一方のストッパー及び前記他方のストッパーが、それぞれ、設けられていることを特徴とするものである。
【００１１】
請求項３に記載された発明は、請求項１又は２に記載された発明において、前記線条及び前記球体を構成する金属が、ステンレス鋼とされていることを特徴とするものである。
【００１２】
請求項４に記載された発明は、請求項１〜３のいずれか１項に記載された発明において、前記線条及びストッパーに、金、ロジウム又はプラチナによるメッキが施されていることを特徴とするものである。
【発明の効果】
【００１３】
請求項１，２に記載された発明によれば、線条で構成される同一径のコイルを同一間隔に形成した複数のコイルからなる本体部と、前記本体部の一方端のコイルを構成する線条の先端に設けられた球体からなる一方のストッパーと、前記本体部の他方端のコイルを構成する線条の先端に設けられた球体からなる他方ストッパーと、を有するつる巻きバネで形成された指輪固定具において、（イ）前記コイル及び前記球体が、それぞれ、金属で構成され、かつ、（ロ）前記一方のストッパー及び前記他方のストッパーがそれぞれ指裏の根本近傍と手のひらの先端近傍とで固定されるように、それらのストッパーが、それぞれ、前記一方端のコイルの周上及び前記他方端のコイルの周上に、側面視において間隔を開けて、設けられているので、コイルを固定することなく指輪による回転及び手指の前後方向へのズレを防止するとし、指裏の根本近傍と手のひらの先端近傍との間の指輪の固定される部分に圧迫感を与えることを防止し、指裏の根本近傍と手のひらの先端近傍とにおける炎症の発生を防止し、そして、指輪における擦りキズの発生を防止し、しかも、指輪の美的要素を低下させることのない装着の容易な指輪用固定具を低コストで提供することができる。
【００１４】
請求項３に記載された発明によれば、前記線条及び前記球体を構成する金属がステンレス鋼とされているので、つる巻きバネに適度の弾力を与えることができ、そのために、指輪のズレをいっそう防止し、指裏の根本近傍と手のひらの先端近傍との間の指輪の固定される部分に圧迫感を与えることをいっそう防止し、しかも、指輪の美的要素をいっそう低下させることのない指輪用固定具を提供することができる。
【００１５】
請求項４に記載された発明によれば、前記線条及びストッパーに、金、ロジウム又はプラチナによるメッキが施されているので、装飾品としての機能をいっそう向上させた指輪用固定具を提供することができる。
【図面の簡単な説明】
【００１６】
【図１】本発明の一実施の形態を示す指輪用固定具であって、（ａ）は、その指輪用固定具の正面図であり、そして、（ｂ）は、その指輪用固定具の矢視Ａ側面図である。
【図２】本発明の一実施の形態を示す指輪用固定具を保持した指輪を手指外挿下状態を示す説明図であって、（ａ）は、指裏部分と手のひらの先端部分とを示し、そして、（ｂ）は、指表部分と手の甲の先端部分とを示す。
【図３】従来の指輪用固定具であって、（ａ）は、その指輪用固定具の正面図であり、そして、（ｂ）は、その指輪用固定具を保持した指輪の斜視図である。
【発明を実施するための形態】
【００１７】
以下、図面を用いて、本発明について説明する。
【００１８】
図１において、１０は、本発明の指輪用固定具である。本発明の指輪用固定具１０は、線条で構成される同一径のコイルを同一間隔に形成した複数のコイルからなる本体部１と、前記本体部１の一方端のコイルを構成する線条の先端１ａに設けられた球体からなる一方のストッパー２と、前記本体部１の他方端のコイルを構成する線条の先端１ｂに設けられた球体からなる他方ストッパー３と、を有するつる巻きバネで形成されている。そして、図２に示されているように、前記指輪用固定具１０においては、（イ）前記コイル及び前記球体は、それぞれ、金属で構成され、かつ、（ロ）前記一方のストッパー２及び前記他方のストッパー３がそれぞれ指裏の根本近傍と手のひらの先端近傍とで固定されるように、それらのストッパー２，３は、それぞれ、前記一方端のコイルの周上及び前記他方端のコイルの周上に、側面視において間隔Ｄを開けて、設けられている。
【００１９】
前記指輪用固定具１０では、前記本体部１は、同一径のコイルを同一間隔に形成した５．５のコイルを有しているが、手指の大きさは、個人差、性別、人種等の違いによって異なっているので、本発明におけるコイルの数は、５．５より多くなっていてもかまわないし、また、５．５よりも少なくなっていてもかまわない。前記「同一径のコイル」における「径」は、本明細書においては、図１ｂに示されているように、側面視したときに見えるリングの径を意味している。また、「同一間隔に形成した複数のコイル」における「間隔」は、隣接するコイルとコイルとの間隙、即ち、ピッチを意味する。本発明においては、コイル径は、好ましくは、５ｍｍであり、コイルの間隙は、好ましくは、２ｍｍであるが、コイル径及びコイルの間隙は、前述したように、手指の大きさが個人差、性別、人種等の違いによって異なっているので、本発明におけるコイル径及びコイルの間隙は、それぞれ、５ｍｍ及び２ｍｍより長くなっていてもかまわないし、また、短くなっていてもかまわない。
【００２０】
「ストッパー２，３は、それぞれ、前記一方端のコイルの周上及び前記他方端のコイルの周上に、側面視において間隔Ｄを開けて、設けられている。」における「間隔Ｄ」は、本明細書においては、図１ｂに示されているように、前記一方端のコイル及び前記他方端のコイルを同一平面に配置したと仮定した場合における前記ストッパー２と前記ストッパ３との間の間隙Ｄを意味する。前記「間隔Ｄ」は、前記一方のストッパー２及び前記他方のストッパー３がそれぞれ指裏の根本近傍と手のひらの先端近傍とで固定されるように開けられた間隙Ｄを意味する。このように、「ストッパー２，３が、それぞれ、前記一方端のコイルの周上及び前記他方端のコイルの周上に、側面視において間隔Ｄを開けて、設けられている状態」においては、図１ａに示されているように、前記ストッパー２の中心と、前記ストッパー３の中心とを結ぶ線は、本体部１の軸の方向に対して斜めに交差している。
【００２１】
本発明の指輪用固定具１０は、線条で構成される同一径のコイルを同一間隔に形成した複数のコイルからなる本体部１を有しているので、前記指輪用固定具１０、即ち、コイルを予め回転させて装着した指輪を手指に外挿してもよいし、指に外挿した指輪に、前記指輪用固定具１０、即ち、コイルを回転させて装着してもよい。それ故、本発明の指輪用固定具１０は、誰にでも簡単に、手指に装着することができる。
【００２２】
また、前記指輪用固定具１０を装着した指輪を手指に外挿すると、前記指輪用固定具１０が指裏の根本と手のひらの先端との間のくぼみに挟まると共に、前記他方のストッパー３がそれぞれ指裏の根本近傍と手のひらの先端近傍とで固定されるので、指輪による回転及び手指の前後方向へのズレが防止される。
【００２３】
また、前記指輪用固定具１０における本体部１が同一径のコイルを同一間隔に形成したコイルを有しているので、それらのコイルが指裏の根本近傍と手のひらの先端近傍との間の指輪の固定される部分に均一に接触され、しかも、それらのコイルによる前記指輪用固定具１０による手指の周方向への多少の移動が許容され、それらのために、指裏の根本近傍と手のひらの先端近傍との間の指輪の固定される部分に圧迫感を与えることが防止される。
【００２４】
また、前記一方のストッパー２及び前記他方のストッパー３がそれぞれ球体で形成されているので、１）手、即ち、手指及び手のひらがどのような動きをしても、それらの動きを阻害することなく、前記一方のストッパー２及び前記他方のストッパー３がそれぞれ手指又は手のひらに当たった面に垂直に作用し、そのために、従来のようにコイルを固定することなく指輪による回転及び手指の前後方向へのズレを防止することができ、２）前記本体部１の一方端のコイルを構成する線条の先端１ａ及び前記本体部１の他方端のコイルを構成する線条の先端１ｂによる指裏の根本近傍と手のひらの先端近傍とにおける炎症の発生を防止することができ、しかも、３）前記本体部１の一方端のコイルを構成する線条の先端１ａ及び前記本体部１の他方端のコイルを構成する線条の先端１ｂによる指輪における擦りキズの発生をを防止することができる。
【００２５】
さらに、前記指輪用固定具１０は、線条で構成される同一径のコイルを同一間隔に形成した複数のコイルからなる本体部１と、前記本体部１の一方端のコイルを構成する線条の先端１ａに設けられた球体からなる一方のストッパー２と、前記本体部１の他方端のコイルを構成する線条の先端１ｂに設けられた球体からなる他方ストッパー３と、を有しているので、それ自体が装飾品となりえるものであり、そのために、指輪の美的要素を低下させることがない。
【００２６】
したがって、線条で構成される同一径のコイルを同一間隔に形成した複数のコイルからなる本体部１と、前記本体部１の一方端のコイルを構成する線条の先端１ａに設けられた球体からなる一方のストッパー２と、前記本体部１の他方端のコイルを構成する線条の先端１ｂに設けられた球体からなる他方ストッパー３と、を有するつる巻きバネで形成された指輪用固定具１０において、（イ）前記コイル及び前記球体が、それぞれ、金属で構成され、かつ、（ロ）前記一方のストッパー２及び前記他方のストッパー３がそれぞれ指裏の根本近傍と手のひらの先端近傍とで固定されるように、それらのストッパー２，３が、それぞれ、前記一方端のコイルの周上及び前記他方端のコイルの周上に、側面視において間隔Ｄを開けて、設けられていると、コイルを固定することなく指輪による回転及び手指の前後方向へのズレを防止し、指裏の根本近傍と手のひらの先端近傍との間の指輪の固定される部分に圧迫感を与えることを防止し、指裏の根本近傍と手のひらの先端近傍とにおける炎症の発生を防止し、そして、指輪における擦りキズの発生を防止し、しかも、指輪の美的要素を低下させることのない装着の容易な指輪用固定具を低コストで提供することができる。
【００２７】
本発明においては、前記線条及び前記球体を構成する金属がステンレス鋼とされている。このように、前記線条及び前記球体を構成する金属がステンレス鋼とされていると、つる巻きバネに適度の弾力を与えることができ、そのために、指輪のズレをいっそう防止し、指裏の根本近傍と手のひらの先端近傍との間の指輪の固定される部分に圧迫感を与えることをいっそう防止し、しかも、指輪の美的要素をいっそう低下させることのない指輪用固定具を提供することができる。
【００２８】
本発明においては、前記線条及びストッパーに、金、ロジウム又はプラチナによるメッキが施されている。このように、前記線条及びストッパーに、金、ロジウム又はプラチナによるメッキが施されていると、装飾品としての機能をいっそう向上させた指輪用固定具を提供することができる。
【符号の説明】
【００２９】
１  本体部
１ａ  一方端のコイルを構成する線条の先端
１ｂ  他方端のコイルを構成する線条の先端
２  一方のストッパー
３  他方のストッパー
１０  指輪用固定具
【図１】
0005162647.tif 000002
【図２】
0005162647.tif 000003
【図３】
0005162647.tif 000004